(57)【特許請求の範囲】
【請求項１】
給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている一缶二水路給湯器において、給湯熱交換器の湯温を検出する給湯熱交換器湯温検出手段と、上記非給湯側循環通路の流れ有無判断の検出モードの動作時に上記バーナーを試験的に燃焼させて上記給湯熱交換器湯温検出手段の検出温度が予め定められた温度に達したときにバーナー燃焼を停止させるとともに該バーナー燃焼の停止以降に上記循環ポンプを駆動させる試験用バーナー・ポンプ制御部とを設け、給湯熱交換器湯温の変化形態に基づいて非給湯側循環通路の熱媒体の流れの有無の判断を行うための非給湯側流れ有無判断用データを予め与え、該非給湯側流れ有無判断用データと上記試験用バーナー・ポンプ制御部による循環ポンプの駆動以降に検出される上記給湯熱交換器湯温検出手段の検出温度データとに基づいて上記非給湯側循環通路の熱媒体の流れの有無を判断する非給湯側循環通路流れ判断部を設けたことを特徴とする一缶二水路給湯器。
【請求項２】
非給湯側流れ有無判断用データは試験用バーナー・ポンプ制御部によるバーナー燃焼停止以降の給湯熱交換器の湯温立ち下がり勾配によって与えられ、非給湯側循環通路流れ判断部はこの湯温立ち下がり勾配を基準勾配として該基準勾配と上記バーナー燃焼停止以降の給湯熱交換器湯温検出手段の検出温度データの湯温立ち下がり勾配とを比較して該検出温度データの湯温立ち下がり勾配が上記基準勾配よりも小さいときには非給湯側循環通路の熱媒体の流れがないと判断し、上記検出温度データの湯温立ち下がり勾配が上記基準勾配以上のときには非給湯側循環通路の熱媒体の流れがあると判断することを特徴とする請求項１記載の一缶二水路給湯器。
【請求項３】
非給湯側流れ有無判断用データは試験用バーナー・ポンプ制御部が循環ポンプを駆動させてから予め定められた基準時間が経過したときの給湯熱交換器の湯温によって与えられ、非給湯側循環通路流れ判断部はこの給湯熱交換器の湯温を判断基準湯温として該判断基準湯温と上記循環ポンプを駆動させてから上記基準時間経過時の給湯熱交換器湯温検出手段の検出温度とを比較して該検出温度が上記判断基準湯温よりも高いときには上記非給湯側循環通路の熱媒体の流れがないと判断し、該検出温度が上記判断基準湯温以下のときには上記非給湯側循環通路の熱媒体の流れがあると判断することを特徴とする請求項１記載の一缶二水路給湯器。
【請求項４】
非給湯側流れ有無判断用データは試験用バーナー・ポンプ制御部が循環ポンプを駆動させてから給湯熱交換器の湯温が予め定められた基準温度に下がるまでの時間によって与えられ、非給湯側循環通路流れ判断部はこの時間を判断基準時間として該判断基準時間と上記循環ポンプを駆動させてから給湯熱交換器湯温検出手段の検出温度が上記基準温度に下がるまでの検出時間とを比較して該検出時間が上記判断基準時間よりも長いときには上記非給湯側循環通路の熱媒体の流れがないと判断し、該検出時間が上記判断基準時間以内のときには上記非給湯側循環通路の熱媒体の流れがあると判断することを特徴とする請求項１記載の一缶二水路給湯器。
【請求項５】
試験用バーナー・ポンプ制御部はバーナー燃焼停止と同時に循環ポンプを駆動させる構成とし、非給湯側流れ有無判断用データはバーナー燃焼停止以降の給湯熱交換器の湯温のピーク温度によって与えられ、非給湯側循環通路流れ判断部はこのピーク温度を判断基準温度として該判断基準温度を給湯熱交換器湯温検出手段の検出温度データのピーク温度と比較して該検出温度データのピーク温度が上記判断基準温度よりも高いときには上記非給湯側循環通路の熱媒体の流れがないと判断し、該検出温度データのピーク温度が上記判断基準温度以下のときには上記非給湯側循環通路の熱媒体の流れがあると判断することを特徴とする請求項１記載の一缶二水路給湯器。
【請求項６】
給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている一缶二水路給湯器において、給湯熱交換器の湯温を検出する給湯熱交換器湯温検出手段と、上記非給湯側循環通路を循環する熱媒体の温度を検出する非給湯側循環通路温度検出手段と、上記非給湯側循環通路の熱媒体の循環流量の検出モードの動作時に上記バーナーを試験的に燃焼させて上記給湯熱交換器湯温検出手段の検出温度が予め定められた温度に達したときにバーナー燃焼を停止させるとともに該バーナー燃焼の停止以降に上記循環ポンプを駆動させる試験用バーナー・ポンプ制御部とを有し、給湯熱交換器湯温情報と非給湯側循環通路の熱媒体の循環流量との関係データが非給湯側循環通路を循環する熱媒体の温度に対応させて予め与えられ、該関係データと上記試験用バーナー・ポンプ制御部による循環ポンプの駆動以降に検出される上記給湯熱交換器湯温検出手段の検出温度データと上記非給湯側循環通路温度検出手段によって検出される非給湯側循環通路の熱媒体の温度とに基づいて上記非給湯側循環通路の熱媒体の循環流量を検出する非給湯側循環流量検出手段が設けられていることを特徴とする一缶二水路給湯器。
【請求項７】
関係データの給湯熱交換器湯温情報は試験用バーナー・ポンプ制御部によるバーナー燃焼停止以降の給湯熱交換器の湯温立ち下がり勾配によって与えられ、非給湯側循環流量検出手段はこの湯温立ち下がり勾配と上記バーナー燃焼停止以降の給湯熱交換器湯温検出手段の検出温度データの湯温立ち下がり勾配とを比較して上記非給湯側循環通路の熱媒体の循環流量を検出することを特徴とする請求項６記載の一缶二水路給湯器。
【請求項８】
関係データの給湯熱交換器湯温情報は試験用バーナー・ポンプ制御部が循環ポンプを駆動させてから予め定められた基準時間が経過したときの給湯熱交換器の湯温によって与えられ、非給湯側循環流量検出手段はこの給湯熱交換器の湯温と上記循環ポンプを駆動させてから上記基準時間経過時の給湯熱交換器湯温検出手段の検出温度とを比較して上記非給湯側循環通路の熱媒体の循環流量を検出することを特徴とする請求項６記載の一缶二水路給湯器。
【請求項９】
関係データの給湯熱交換器湯温情報は試験用バーナー・ポンプ制御部が循環ポンプを駆動させてから給湯熱交換器の湯温が予め定められた基準温度に下がるまでの時間によって与えられ、非給湯側循環流量検出手段はこの時間と上記循環ポンプを駆動させてから給湯熱交換器湯温検出手段の検出温度が上記基準温度に下がるまでの検出時間とを比較して上記非給湯側循環通路の熱媒体の循環流量を検出することを特徴とする請求項６記載の一缶二水路給湯器。
【請求項１０】
試験用バーナー・ポンプ制御部はバーナー燃焼停止と同時に循環ポンプを駆動させる構成とし、関係データの給湯熱交換器湯温情報はバーナー燃焼停止以降の給湯熱交換器の湯温のピーク温度によって与えられ、非給湯側循環流量検出手段はこのピーク温度と給湯熱交換器湯温検出手段の検出温度データのピーク温度とを比較して上記非給湯側循環通路の熱媒体の循環流量を検出することを特徴とする請求項６記載の一缶二水路給湯器。
【請求項１１】
試験用バーナー・ポンプ制御部は検出モードの動作時にバーナーを試験的に燃焼開始させてから予め定められた時間が経過したときにバーナー燃焼を停止させるとともに該バーナー燃焼の停止以降に循環ポンプを駆動させる構成としたことを特徴とする請求項１乃至請求項１０記載のいずれか１つに記載の一缶二水路給湯器。
【請求項１２】
非給湯側循環通路は追い焚き循環通路とし、非給湯側熱交換器は追い焚き熱交換器とし、該追い焚き循環通路を循環する熱媒体は湯水とし、非給湯側の運転は風呂の追い焚き運転としたことを特徴とする請求項１乃至請求項１１のいずれか１つに記載の一缶二水路給湯器。
【発明の詳細な説明】
【０００１】
【発明の属する技術分野】
本発明は、給湯熱交換器と追い焚き熱交換器等の非給湯側熱交換器が一体化され、その一体化した熱交換器を共通のバーナーで加熱する一缶二水路給湯器に関するものである。
【０００２】
【従来の技術】
図１０には本出願人らが開発している一缶二水路給湯器である一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と非給湯側熱交換器としての追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して追い焚き熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡するバイパス通路１５が設けられており、上記バイパス通路１５には通路の開閉を行うバイパス弁１６が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と循環ポンプ２０と管路１８と追い焚き熱交換器４と管路２３により非給湯側循環通路としての追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を検出する水位センサ２８とが設けられている。
【０００８】
なお、図中に示す３０は燃焼室１内の風量を検出する風量センサであり、３１は給水通路１３に設けられて給水の流量を検出する水量センサであり、３２は給水通路１３の水の温度を検出する入水温度センサであり、３４は給湯通路１４に設けられて通水流量を制御する流量制御弁であり、３５は給湯通路１４に設けられて給湯が行われていることを水流により検出する給湯確認スイッチであり、３６は追い焚き循環通路２４の水流の有無を検出する流水スイッチであり、３７は追い焚き循環通路２４の湯水温を浴槽湯水の温度（風呂温度）として検出する非給湯側循環通路温度検出手段である風呂温度センサであり、３８は給湯熱交換器３で作り出された湯の温度を検出する出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段等が設けられている。
【００１０】
上記制御装置４０は各種センサのセンサ出力信号やリモコン４１の情報を取り込み、それら情報と予め与えられているシーケンスプログラムに従って、給湯運転や、湯張り運転や、追い焚き運転等の各種の器具運転の動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温が前記給湯温度設定手段に設定されている給湯設定温度となるように比例弁１２の開弁量を制御して（バーナー２への供給ガス量を制御して）バーナー２の燃焼能力を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯運転を終了し次の給湯に備える。
【００１４】
湯張り運転を行うときには、例えば、注湯制御弁２６を開弁し、この注湯制御弁２６の開弁動作により水供給源から給水通路１３に水が流れ込んで水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。そして、水位センサ２８が検出する浴槽２２の水位がリモコン４１に設定されている設定水位に達したときに、注湯制御弁２６を閉じ、電磁弁１０を閉じてバーナー２の燃焼を停止させ、湯張り運転を終了する。
【００１６】
追い焚き運転を行うときには、循環ポンプ２０を駆動させて浴槽２２内の湯水を追い焚き循環通路２４を通して循環させ、この湯水の流れを流水スイッチ３６により検知した後、バーナー２の燃焼を開始させ、バーナー２の燃焼火炎により追い焚き熱交換器４の循環湯水を加熱して追い焚きを行う。そして、風呂温度センサ３７により検出される風呂温度が前記風呂温度設定手段により設定されている設定温度に達したときに、バーナー２の燃焼を停止させ、追い焚き運転を終了する。
【００１７】
前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減が図れることになる。
【００１８】
また、図１１には、一缶二水路給湯器としての給湯暖房機の一例が示されており、同図において、図１０の一缶二水路風呂給湯器と同一名称部分には同一符号が付してある。また、図中、５７は非給湯側熱交換器としての暖房用熱交換器を示しており、５２は暖房オン・オフバルブ、５３は放熱器、５４はファン、５５はシスターンタンク、５６はバイパス通路をそれぞれ示している。暖房用循環通路５１を循環する熱媒体としては、例えば、エチレングリコールとプロピレングリコールに水を加えたものが用いられる。
【００１９】
【発明が解決しようとする課題】
ところで、従来は、前記の如く、追い焚き運転を行うときには、循環ポンプ２０の駆動により浴槽２２内の湯水を追い焚き循環通路２４を通して循環させて、この湯水の流れを流水スイッチ３６によって検知した後、バーナー２の燃焼を開始させているが、追い焚き循環通路２４を通る浴槽湯水には髪等のゴミが多く含まれており、流水スイッチ３６に髪等のゴミが絡み付き、故障することがよくあるために、できれば流水スイッチ３６を用いずに追い焚き循環通路２４の湯水の流れを検知したいといった要求があった。
【００２０】
また、上記のような一缶二水路タイプの風呂給湯器においては、例えば、追い焚き熱交換器４側と給湯熱交換器３側の吸熱比率に基づいて、給湯と風呂の追い焚きの同時燃焼時の燃焼制御が行われるために、追い焚き循環通路２４を通る湯水の循環流量を検出したいといった要求があり、追い焚き循環通路２４の湯水循環流量をボール式水量センサにより測定する方法等が以前に提案されているが、このようなセンサは、前記流水スイッチ３６と同様に、浴槽湯水中のゴミが絡み付くと故障し易く、測定される浴槽湯水の循環流量が不正確な値になりがちであった。
【００２１】
本発明は上記課題を解決するためになされたものであり、その目的は、追い焚き循環通路の湯水の流れの有無、および循環流量を正確に検出することができる一缶二水路風呂給湯器を提供し、さらには、非給湯側循環通路の熱媒体の流れの有無、及び循環流量を正確に検出することができる一缶二水路給湯器を提供することにある。
【００２２】
【課題を解決するための手段】
上記目的を達成するために、本発明は次のような構成をもって課題を解決するための手段としている。すなわち、本第１の発明は、給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている一缶二水路給湯器において、給湯熱交換器の湯温を検出する給湯熱交換器湯温検出手段と、上記非給湯側循環通路の流れ有無判断の検出モードの動作時に上記バーナーを試験的に燃焼させて上記給湯熱交換器湯温検出手段の検出温度が予め定められた温度に達したときにバーナー燃焼を停止させるとともに該バーナー燃焼の停止以降に上記循環ポンプを駆動させる試験用バーナー・ポンプ制御部とを設け、給湯熱交換器湯温の変化形態に基づいて非給湯側循環通路の熱媒体の流れの有無の判断を行うための非給湯側流れ有無判断用データを予め与え、該非給湯側流れ有無判断用データと上記試験用バーナー・ポンプ制御部による循環ポンプの駆動以降に検出される上記給湯熱交換器湯温検出手段の検出温度データとに基づいて上記非給湯側循環通路の熱媒体の流れの有無を判断する非給湯側循環通路流れ判断部を設けた構成をもって課題を解決するための手段としている。
【００２３】
また、上記非給湯側流れ有無判断用データは試験用バーナー・ポンプ制御部によるバーナー燃焼停止以降の給湯熱交換器の湯温立ち下がり勾配によって与えられ、非給湯側循環通路流れ判断部はこの湯温立ち下がり勾配を基準勾配として該基準勾配と上記バーナー燃焼停止以降の給湯熱交換器湯温検出手段の検出温度データの湯温立ち下がり勾配とを比較して該検出温度データの湯温立ち下がり勾配が上記基準勾配よりも小さいときには非給湯側循環通路の熱媒体の流れがないと判断し、上記検出温度データの湯温立ち下がり勾配が上記基準勾配以上のときには非給湯側循環通路の熱媒体の流れがあると判断することも上記本第１の発明の特徴的な構成とされている。
【００２４】
さらに、上記非給湯側流れ有無判断用データは試験用バーナー・ポンプ制御部が循環ポンプを駆動させてから予め定められた基準時間が経過したときの給湯熱交換器の湯温によって与えられ、非給湯側循環通路流れ判断部はこの給湯熱交換器の湯温を判断基準湯温として該判断基準湯温と上記循環ポンプを駆動させてから上記基準時間経過時の給湯熱交換器湯温検出手段の検出温度とを比較して該検出温度が上記判断基準湯温よりも高いときには上記非給湯側循環通路の熱媒体の流れがないと判断し、該検出温度が上記判断基準湯温以下のときには上記非給湯側循環通路の熱媒体の流れがあると判断することも上記本第１の発明の特徴的な構成とされている。
【００２５】
さらに、上記非給湯側流れ有無判断用データは試験用バーナー・ポンプ制御部が循環ポンプを駆動させてから給湯熱交換器の湯温が予め定められた基準温度に下がるまでの時間によって与えられ、非給湯側循環通路流れ判断部はこの時間を判断基準時間として該判断基準時間と上記循環ポンプを駆動させてから給湯熱交換器湯温検出手段の検出温度が上記基準温度に下がるまでの検出時間とを比較して該検出時間が上記判断基準時間よりも長いときには上記非給湯側循環通路の熱媒体の流れがないと判断し、該検出時間が上記判断基準時間以内のときには上記非給湯側循環通路の熱媒体の流れがあると判断することも上記本第１の発明の特徴的な構成とされている。
【００２６】
さらに、上記試験用バーナー・ポンプ制御部はバーナー燃焼停止と同時に循環ポンプを駆動させる構成とし、非給湯側流れ有無判断用データはバーナー燃焼停止以降の給湯熱交換器の湯温のピーク温度によって与えられ、非給湯側循環通路流れ判断部はこのピーク温度を判断基準温度として該判断基準温度を給湯熱交換器湯温検出手段の検出温度データのピーク温度と比較して該検出温度データのピーク温度が上記判断基準温度よりも高いときには上記非給湯側循環通路の熱媒体の流れがないと判断し、該検出温度データのピーク温度が上記判断基準温度以下のときには上記非給湯側循環通路の熱媒体の流れがあると判断することも上記第１の発明の特徴的な構成とされている。
【００２７】
さらに、本第２の発明は、給水通路から導かれた水を加熱し給湯通路に湯を供給する給湯熱交換器と、循環ポンプを備えた非給湯側循環通路に組み込まれ該非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている一缶二水路給湯器において、給湯熱交換器の湯温を検出する給湯熱交換器湯温検出手段と、上記非給湯側循環通路を循環する熱媒体の温度を検出する非給湯側循環通路温度検出手段と、上記非給湯側循環通路の熱媒体の循環流量の検出モードの動作時に上記バーナーを試験的に燃焼させて上記給湯熱交換器湯温検出手段の検出温度が予め定められた温度に達したときにバーナー燃焼を停止させるとともに該バーナー燃焼の停止以降に上記循環ポンプを駆動させる試験用バーナー・ポンプ制御部とを有し、給湯熱交換器湯温情報と非給湯側循環通路の熱媒体の循環流量との関係データが非給湯側循環通路を循環する熱媒体の温度に対応させて予め与えられ、該関係データと上記試験用バーナー・ポンプ制御部による循環ポンプの駆動以降に検出される上記給湯熱交換器湯温検出手段の検出温度データと上記非給湯側循環通路温度検出手段によって検出される非給湯側循環通路の熱媒体の温度とに基づいて上記非給湯側循環通路の熱媒体の循環流量を検出する非給湯側循環流量検出手段が設けられている構成をもって課題を解決するための手段としている。
【００２８】
さらに、上記関係データの給湯熱交換器湯温情報は試験用バーナー・ポンプ制御部によるバーナー燃焼停止以降の給湯熱交換器の湯温立ち下がり勾配によって与えられ、非給湯側循環流量検出手段はこの湯温立ち下がり勾配と上記バーナー燃焼停止以降の給湯熱交換器湯温検出手段の検出温度データの湯温立ち下がり勾配とを比較して上記非給湯側循環通路の熱媒体の循環流量を検出することも上記本第２の発明の特徴的な構成とされている。
【００２９】
さらに、上記関係データの給湯熱交換器湯温情報は試験用バーナー・ポンプ制御部が循環ポンプを駆動させてから予め定められた基準時間が経過したときの給湯熱交換器の湯温によって与えられ、非給湯側循環流量検出手段はこの給湯熱交換器の湯温と上記循環ポンプを駆動させてから上記基準時間経過時の給湯熱交換器湯温検出手段の検出温度とを比較して上記非給湯側循環通路の熱媒体の循環流量を検出することも上記本第２の発明の特徴的な構成とされている。
【００３０】
さらに、上記関係データの給湯熱交換器湯温情報は試験用バーナー・ポンプ制御部が循環ポンプを駆動させてから給湯熱交換器の湯温が予め定められた基準温度に下がるまでの時間によって与えられ、非給湯側循環流量検出手段はこの時間と上記循環ポンプを駆動させてから給湯熱交換器湯温検出手段の検出温度が上記基準温度に下がるまでの検出時間とを比較して上記非給湯側循環通路の熱媒体の循環流量を検出することも上記本第２の発明の特徴的な構成とされている。
【００３１】
さらに、上記試験用バーナー・ポンプ制御部はバーナー燃焼停止と同時に循環ポンプを駆動させる構成とし、関係データの給湯熱交換器湯温情報はバーナー燃焼停止以降の給湯熱交換器の湯温のピーク温度によって与えられ、非給湯側循環流量検出手段はこのピーク温度と給湯熱交換器湯温検出手段の検出温度データのピーク温度とを比較して上記非給湯側循環通路の熱媒体の循環流量を検出することも上記本第２の発明の特徴的な構成とされている。
【００３２】
さらに、上記試験用バーナー・ポンプ制御部は検出モードの動作時にバーナーを試験的に燃焼開始させてから予め定められた時間が経過したときにバーナー燃焼を停止させるとともに該バーナー燃焼の停止以降に循環ポンプを駆動させる構成としたことも上記本第１、第２の発明の特徴的な構成とされている。
【００３３】
さらに、上記非給湯側循環通路は追い焚き循環通路とし、非給湯側熱交換器は追い焚き熱交換器とし、該追い焚き循環通路を循環する熱媒体は湯水とし、非給湯側の運転は風呂の追い焚き運転としたことも本第１、第２の発明の特徴的な構成とされている。
【００３４】
一缶二水路給湯器においては、非給湯側循環通路の非給湯側熱交換器と、給湯熱交換器とは一体化されているので、バーナーの燃焼火炎により給湯熱交換器を加熱した後、循環ポンプを駆動させて非給湯側循環通路の熱媒体を循環させると、この循環する熱媒体は給湯熱交換器の湯から熱量を奪う。そのため、バーナー燃焼停止以降に循環ポンプを駆動させると、給湯熱交換器の湯温の変化形態は、非給湯側循環通路の熱媒体の流れの有無によって異なるものとなる。また、この給湯熱交換器湯温の変化形態は、非給湯側循環通路の熱媒体の循環流量の違いによっても異なり、さらに、非給湯側循環通路を循環する熱媒体の温度の違いによっても異なる。
【００３５】
上記構成の本発明においては、試験用バーナー・ポンプ制御部により、バーナーを試験的に燃焼させた後に停止させ、バーナー燃焼停止以降に循環ポンプを駆動させ、第１の発明においては、給湯熱交換器湯温の変化形態に基づいて非給湯側循環通路の熱媒体の流れ有無の判断を行うための非給湯側流れ有無判断用データと、上記試験用バーナー・ポンプ制御部による循環ポンプの駆動以降に検出される給湯熱交換器湯温検出手段の検出温度データとに基づいて、非給湯側循環通路の熱媒体の流れの有無を判断するために、追い焚き循環通路等の非給湯側循環通路内の髪等のゴミの影響を受けることなく非給湯側循環通路の熱媒体の流れの有無を正確に判断することが可能となり、上記課題が解決される。
【００３６】
また、本第２の発明においては、給湯熱交換器湯温情報と非給湯側循環通路の熱媒体の循環流量との関係データを、非給湯側循環通路を循環する熱媒体の温度に対応させて予め与え、この関係データと上記試験用バーナー・ポンプ制御部による循環ポンプの駆動以降に検出される給湯熱交換器湯温検出手段の検出湯温データと、非給湯側循環通路温度検出手段によって検出される非給湯側循環通路の熱媒体の温度とに基づいて非給湯側循環通路の熱媒体の循環流量を検出することにより、上記本第１の発明と同様に、非給湯側循環通路内の髪等のゴミに左右されることなく、非給湯側循環通路の熱媒体の循環流量を検出することが可能となり、上記課題が解決される。
【００３７】
【発明の実施の形態】
以下、本発明の実施の形態を図面に基づいて説明する。なお、本実施形態例の説明において、上記提案例の給湯器と同一名称部分には同一符号を付し、その重複説明は省略する。本実施形態例の一缶二水路給湯器は一缶二水路風呂給湯器であり、図１０に示した提案例の一缶二水路風呂給湯器とほぼ同様のシステム構成を有しているが、本実施形態例では、給湯熱交換器３の湯温を検出する給湯熱交換器湯温検出手段としての図の破線に示す給湯熱交湯温センサ３３を、給湯熱交換器３のＵ字管に設けており、また、図１０において追い焚き循環通路２４に設けられていた流水スイッチ３６を省略して一缶二水路風呂給湯器のシステムを構成している。
【００３８】
図１には、第１実施形態例の特有な制御構成がブロック図により示されている。同図に示すように、本実施形態例において、制御装置４０は検出モード指令部４２、試験用バーナー・ポンプ制御部４３、追い焚き循環通路水流判断部４５、データ格納部４４を有して構成されている。
【００３９】
検出モード指令部４２は、例えばリモコン４１等の操作が行われたときに、追い焚き循環通路２４の流れ有無（水流有無）判断の検出モードの動作指令を行うものであり、この検出モードの動作指令を試験用バーナー・ポンプ制御部４３と追い焚き循環通路水流判断部４５とに加える。
【００４０】
試験用バーナー・ポンプ制御部４３は、検出モード指令部４２からの指令を受けて、追い焚き循環通路２４の水流有無判断の検出モードの動作時に、バーナー２を試験的に燃焼させて、給湯熱交湯温センサ３３の検出温度が予め定められた温度に達したときにバーナー燃焼を停止させるとともに、バーナー燃焼の停止以降に循環ポンプ２０を駆動させるものである。
【００４１】
試験用バーナー・ポンプ制御部４３は、検出モード指令部４２から追い焚き循環通路２４の水流有無判断の検出モード指令が加えられたときに、電磁弁１０を開け、比例弁１２の開弁量を調節してバーナー２を試験的に燃焼させながら給湯熱交湯温センサ３３の検出温度を時々刻々と取り込み、給湯熱交湯温センサ３３の検出温度が予め定められた温度（例えばＡ℃）に達したときに、電磁弁１０を閉じてバーナー２の燃焼を停止させ、循環ポンプ２０を駆動させる。なお、バーナー燃焼停止と循環ポンプ２０の駆動とは同時に行うこともできるし、循環ポンプ２０の駆動はバーナー２の燃焼を停止させてから予め定められた設定時間経過後に行うこともできる。
【００４２】
試験用バーナー・ポンプ制御部４３は、バーナー２の燃焼開始信号と燃焼停止信号、循環ポンプ２０の駆動信号をそれぞれ追い焚き循環通路水流判断部４５に加える。
【００４３】
データ格納部４４には、給湯熱交換器３の湯温の変化形態に基づいて追い焚き循環通路２４の熱媒体（湯水）の流れの有無、すなわち、水流有無の判断を行うための非給湯側流れ有無判断用データとしての水流有無判断用データが予め与えられている。この水流有無判断用データは、例えば実験等によって求められてデータ格納部４４に与えられるものである。
【００４４】
すなわち、一缶二水路風呂給湯器においては、給湯熱交換器３と追い焚き熱交換器４とが一体化されており、追い焚き循環通路２４を循環する湯水は、給湯熱交換器３内の湯から熱量を奪うために、前記試験用バーナー・ポンプ制御部４３によって、バーナー２の燃焼停止以降に循環ポンプ２０を駆動させたときに、追い焚き循環通路２４内の湯水の流れがあるかないかによって、給湯熱交換器３の湯温の変化形態が異なる。
【００４５】
例えば図２には、試験用バーナー・ポンプ制御部４３によるバーナー２の燃焼開始から、給湯熱交湯温センサ３３の検出温度がＡ℃となったときにバーナー２を燃焼停止させ、同時に、循環ポンプ２０を駆動させたときの、給湯熱交湯温センサ３３によって検出される給湯熱交換器３の湯温変化形態の一例が示されているが、追い焚き循環通路２４の湯水の流れがあるときの給湯熱交換器３の湯温変化形態が同図の特性線ａ示すものとなるのに対し、追い焚き循環通路２４の湯水の流れがないときには、給湯熱交換器３の湯温変化形態は同図の特性線ｂになるといった如く、追い焚き循環通路２４の水流の有無によって給湯熱交換器３の湯温変化形態が大きく異なる。
【００４６】
具体的には、例えばバーナー燃焼停止以降の給湯熱交換器３の湯温のピーク温度は、追い焚き循環通路２４の湯水の流れがあるときには、同図のＰ1となり、湯水の流れがないときには同図のＰ2となる。また、循環ポンプ２０を駆動させてから予め定められた基準時間が経過したときの給湯熱交換器３の湯温は、追い焚き循環通路２４の湯水の流れがあるときには同図のＴ1となり、追い焚き循環通路２４の湯水の流れがないときには同図のＴ2となる。さらに、試験用バーナー・ポンプ制御部４３が循環ポンプ２０を駆動させてから給湯熱交換器３の湯温が予め定められた基準温度に下がるまでの時間は、追い焚き循環通路２４の湯水の流れがあるときには同図のｔ1に対し、追い焚き循環通路２４の湯水の流れがないときにはｔ2となる。
【００４７】
さらに、試験用バーナー・ポンプ制御部４３によるバーナー燃焼停止以降の給湯熱交換器３の湯温立ち下がり勾配も、特性線ａと特性線ｂとでは大きく異なり、特性線ａにおける湯温立ち下がり勾配は、特性線ｂにおける湯温立ち下がり勾配よりも大きい。また、バーナー燃焼停止時の給湯熱交換器３の湯温Ａに対し、前記基準時間経過時の給湯熱交換器３の湯温は、追い焚き循環通路２４の湯水の流れがあるときにはＴ1でＡ以下であるのに対し、追い焚き循環通路２４の湯水の流れがないときにはＴ2で、Ａよりも高い。
【００４８】
本出願人は、このような追い焚き循環通路２４の水流有無によって異なる給湯熱交換器３の湯温変化形態の特性に着目し、例えば試験用バーナー・ポンプ制御部４３は、バーナー燃焼停止と同時に循環ポンプ２０を駆動させる構成とし、水流有無判断用データとして、バーナー燃焼停止以降の給湯熱交換器３の湯温のピーク温度（例えばＰ0）を予めデータ格納部４４に与えている。
【００４９】
追い焚き循環通路水流判断部４５は、非給湯側循環通路流れ判断部として機能するものであり、上記水流有無判断用データと、試験用バーナー・ポンプ制御部４３による循環ポンプ２０の駆動以降に検出される給湯熱交湯温センサ３３の検出温度データとに基づいて、追い焚き循環通路２４の湯水の流れの有無を判断するものである。追い焚き循環通路水流判断部４５は、給湯熱交湯温センサ３３の検出温度を時々刻々と取り込み、また、試験用バーナー・ポンプ制御部４３から加えられる前記バーナー２の燃焼開始信号、燃焼停止信号、循環ポンプ２０の駆動信号を受けて、循環ポンプ２０の駆動以降に検出される給湯熱交湯温センサ３３の検出温度データと、データ格納部４４に格納されている水流有無判断用データとに基づいて追い焚き循環通路２４の湯水の流れの有無を判断する。
【００５０】
追い焚き循環通路水流判断部４５は、この判断に際し、前記データ格納部４４に与えた水流有無判断用データ、すなわち、バーナー燃焼停止以降の給湯熱交換器３の湯温のピーク温度（例えばＰ0）を判断基準温度として、この判断基準温度を給湯熱交湯温センサ３３の検出温度データのピーク温度と比較し、検出温度データのピーク温度が上記判断基準温度よりも高いときには追い焚き循環通路２４の湯水の流れがないと判断し、検出温度データのピーク温度が上記判断基準温度以下のときには追い焚き循環通路２４の湯水の流れがあると判断する。そして、追い焚き循環通路水流判断部４５は、追い焚き循環通路２４の湯水の流れがあると判断したときには水流あり信号を出力し、追い焚き循環通路２４の湯水の流れがないと判断したときには水流なし信号を出力する。
【００５１】
本実施形態例は以上のように構成されており、本実施形態例でも、前記提案の給湯器と同様に、制御装置４０による制御によって、給湯運転や湯張り運転や追い焚き運転がそれぞれ行われる。
【００５２】
また、本実施形態例では、リモコン４１の操作等によって、追い焚き循環通路２４の水流有無判断の検出モードの動作開始のための操作が行われたときには、図３のフローチャートに示す動作が行われる。すなわち、同図のステップ１０１で、検出モード指令部４２から水流有無検出モード動作開始指令が試験用バーナー・ポンプ制御部４３と追い焚き循環通路水流判断部４５とに加えられ、ステップ１０２で、試験用バーナー・ポンプ制御部４３によりバーナー燃焼開始が行われる。そして、ステップ１０３で、給湯熱交湯温センサ３３の検出温度が予め定められた温度（Ａ℃）に達したか否かの判断が行われ、給湯熱交湯温センサ３３の温度がＡ℃以上となったときには、ステップ１０４で、バーナー燃焼停止が行われると同時に、ステップ１０５で、循環ポンプ２０の駆動が行われる。
【００５３】
次に、同図のステップ１０６で、追い焚き循環通路水流判断部４５により、給湯熱交湯温センサ３３の検出温度データと前記水流有無判断用データとの比較が行われる。そして、例えば、追い焚き循環通路２４の湯水の流れがあるために、給湯熱交湯温センサ３３の検出温度データが、図２の特性線ａに示したデータとなってピーク温度がＰ1であり、水流有無判断用データとしての前記判断基準温度Ｐ0以下である場合には、図３のステップ１０７で、追い焚き循環通路水流判断部４５によって、追い焚き循環通路２４の湯水の流れあり（浴槽２２の残水有り）と判断し、ステップ１０８で、水流あり信号を出力する。
【００５４】
一方、追い焚き循環通路２４の湯水の流れがないために、給湯熱交湯温センサ３３の検出温度データが、図２の特性線ｂに示すデータとなって、そのピーク温度Ｐ2が前記判断基準温度Ｐ0よりも大きいときには、図３のステップ１０９で、追い焚き循環通路水流判断部４５によって、追い焚き循環通路２４の湯水の流れなし（浴槽２２の残水無し）と判断し、ステップ１１０で、水流なし信号を出力する。
【００５５】
本実施形態例によれば、上記追い焚き循環通路２４の水流有無判断の検出モードの動作によって、給湯熱交換器３の湯温の変化形態に基づく水流有無判断用データと、給湯熱交湯温センサ３３の検出温度データとに基づいて追い焚き循環通路２４の湯水の流れの有無を判断するために、例えば追い焚き循環通路２４に流水スイッチ３６等を設けて追い焚き循環通路２４の水流有無判断を行う場合と異なり、浴槽湯水に含まれる髪等のゴミに左右されることなく正確に追い焚き循環通路２４の湯水の流れの有無を判断することができる。
【００５６】
そのため、本実施形態例では、従来、一缶二水路風呂給湯器に設けられていた流水スイッチ３６を省略することが可能となり、流水スイッチ３６を省略することにより、その分だけ給湯器のシステム構成を簡略化することができるし、コストダウンを図ることができる。
【００５７】
図４には、本発明に係る一缶二水路風呂給湯器の第２実施形態例に特有な制御構成が示されている。本実施形態例が上記第１実施形態例と異なる特徴的なことな、検出モード指令部４２が、追い焚き循環通路２４の熱媒体の循環流量としての湯水循環流量の検出モード指令を行う構成としたことと、上記第１実施形態例における追い焚き循環通路水流判断部４５の代わりに、湯水循環流量検出手段４６を設け、追い焚き循環通路２４の湯水循環流量を検出する構成としたことである。
【００５８】
試験用バーナー・ポンプ制御部４３は、検出モード指令部４２から追い焚き循環通路２４の湯水循環流量の検出モード指令が加えられたときに、バーナー２の燃焼開始および燃焼停止と、循環ポンプ２０の駆動とを、上記第１実施形態例と同様に行い、バーナー２の燃焼開始信号と燃焼停止信号、循環ポンプ２０の駆動信号を湯水循環流量検出手段４６に加える。
【００５９】
データ格納部４４には、給湯熱交換器湯温情報と追い焚き循環通路２４の湯水循環流量との関係データが、追い焚き循環通路２４を循環する湯水の温度に対応させて予め与えられている。
【００６０】
前記の如く、一缶二水路風呂給湯器においては、追い焚き循環通路２４の循環湯水は給湯熱交換器３の湯から熱量を奪うために、試験用バーナー・ポンプ制御部４３により、バーナー２を試験的に燃焼させた後に、循環ポンプ２０を駆動させたときの給湯熱交換器３の湯温変化形態は、追い焚き循環通路２４の湯水の流れの有無によって異なるものであるが、この給湯熱交換器３の湯温変化形態は、追い焚き循環通路２４の湯水の流れの有無のみならず、湯水の循環流量によっても異なり、さらに、循環湯水の温度によっても異なるものである。
【００６１】
例えば、図５には、試験用バーナー・ポンプ制御部４３によるバーナー２の燃焼開始から循環ポンプ２０の駆動開始以降に給湯熱交湯温センサ３３によって検出される給湯熱交換器３の湯温変化形態が示されているが、追い焚き循環通路２４の湯水の温度が一定のときに、追い焚き循環通路２４の湯水循環流量が多いときには、給湯熱交換器３の湯温変化が同図の特性線ａ1に示すようになるのに対し、追い焚き循環通路２４の湯水循環流量が少ないときには、給湯熱交換器３の湯温変化は同図の特性線ａ2に示すようになる。なお、同図の鎖線に示す特性線ｂは、追い焚き循環通路２４の湯水の流れがないときの給湯熱交換器３の湯温変化形態を示す。
【００６２】
これらの特性線ａ1,ａ2,ｂに示されるように、給湯熱交換器３の湯温変化形態は、追い焚き循環通路２４の湯水循環流量によって異なり、例えば、バーナー２の燃焼停止と循環ポンプ２０の駆動を同時に行ったときの、バーナー燃焼停止以降の給湯熱交換器３の湯温のピーク温度は、追い焚き循環通路２４の湯水の流れが多くなるにつれて小さくなる（Ｐ1B＜Ｐ1S＜Ｐ2）。
【００６３】
また、試験用バーナー・ポンプ制御部４３が循環ポンプ２０を駆動させてから予め定められた基準時間が経過したときの給湯熱交換器３の湯温は、追い焚き循環通路２４の湯水循環流量が多くなるにつれて低くなる（Ｔ1B＜Ｔ1S＜Ｔ2）。さらに、試験用バーナー・ポンプ制御部４３が循環ポンプ２０を駆動させてから給湯熱交換器３の湯温が予め定められた基準温度に下がるまでの時間は、追い焚き循環通路２４の湯水循環流量が多くなるにつれて短くなる（ｔ1B＜ｔ1S＜ｔ2）。さらに、バーナー燃焼停止以降の給湯熱交換器３の湯温立ち下がり勾配は、追い焚き循環通路２４の湯水循環流量が多くなるにつれて大きくなる。
【００６４】
一方、追い焚き循環通路２４の湯水循環流量が同じであっても、追い焚き循環通路２４の湯水温が異なると、試験用バーナー・ポンプ制御部４３によるバーナー２の燃焼開始から循環ポンプ駆動以降の給湯熱交換器３の湯温変化形態は異なり、例えば前記ピーク温度は追い焚き循環通路２４の湯水温が低くなるにつれて低くなる。また、前記基準時間経過時の給湯熱交換器３の湯温は、追い焚き循環通路２４の湯水温が低くなるにつれて低くなり、前記給湯熱交換器３の湯温が前記基準温度に下がるまでの時間は、追い焚き循環通路２４の湯水温が低くなるにつれて短くなり、前記バーナー燃焼停止以降の給湯熱交換器３の湯温立ち下がり勾配は、追い焚き循環通路２４の湯水温が低くなるにつれて大きくなる。
【００６５】
本出願人は、以上のような、追い焚き循環通路２４の湯水循環流量と湯水温の違いによって、試験用バーナー・ポンプ制御部４３によるバーナー燃焼停止以降の給湯熱交換器３の湯温変化形態が異なることに着目し、給湯熱交換器湯温情報と追い焚き循環通路２４の湯水循環流量との関係データを、追い焚き循環通路２４を循環する湯水の温度に対応させて予め実験等によって求め、例えば図６に示すようなグラフデータや、表データ、演算データによって与えている。なお、図６に示すデータは、前記給湯熱交換器湯温情報を前記ピーク温度とし、このピーク温度を判断基準温度として、判断基準温度と追い焚き循環通路２４の湯水循環流量との関係データを、追い焚き循環通路２４の湯水温に対応させて与えたものであり、同図において、ＢＴ1,ＢＴ2,ＢＴ3はそれぞれ追い焚き循環通路２４の湯水温を示し、ＢＴ1＞ＢＴ2＞ＢＴ3である。
【００６６】
湯水循環流量検出手段４６は、上記関係データと、試験用バーナー・ポンプ制御部４３による循環ポンプ２０の駆動以降に検出される給湯熱交湯温センサ３３の検出温度データと、風呂温度センサ３７によって検出される追い焚き循環通路２４の湯水温とに基づいて追い焚き循環通路２４の湯水循環流量を検出する。
【００６７】
本実施形態例は以上のように構成されており、本実施形態例でも、前記提案例の給湯器および上記第１実施形態例の給湯器と同様に、給湯運転や湯張り運転や追い焚き運転が行われる。
【００６８】
また、本実施形態例では、追い焚き循環通路２４の湯水循環流量の検出モードの動作が例えばリモコン４１の操作等によって操作されると、図７に示すフローチャートに従って、追い焚き循環通路の湯水循環流量の検出モードの動作が行われる。すなわち、図７のステップＳ1で、検出モード指令部４２によって循環流量検出モード動作開始指令が試験用バーナー・ポンプ制御部４３と湯水循環流量検出手段４６に加えられると、ステップ１０２からステップ１０５までの動作が、上記第１実施形態例における図３のステップ１０２からステップ１０５までの動作と同様に行われる。
【００６９】
その後、図７のステップＳ2で、湯水循環流量検出手段４６によって、給湯熱交湯温センサ３３により検出される給湯熱交換器３の検出温度データと、風呂温度センサ３７によって検出される追い焚き循環通路２４の湯水温と、例えば図６に示すような、試験用バーナー・ポンプ制御部４３によるバーナー燃焼停止以降の給湯熱交換器３のピーク温度と追い焚き循環通路２４の湯水循環流量との関係データとに基づいて、追い焚き循環通路２４の湯水循環流量を検出する。例えば、湯水循環流量検出手段４６は、検出温度データのピーク温度が図６のＰ1Rであり、このときの風呂温度センサ３７の検出温度がＢＴ1のときには、湯水循環流量はＱ1であると検出し、風呂温度センサ３７の検出温度がＢＴ2のときには、追い焚き循環通路２４の湯水循環流量はＱ2であると検出する。
【００７０】
本実施形態例によれば、上記追い焚き循環通路２４の湯水循環流量の検出モードの動作により、上記関係データと、試験用バーナー・ポンプ制御部４３による循環ポンプ２０の駆動以降に検出される給湯熱交湯温センサ３３の検出温度データと、風呂温度センサ３７によって検出される追い焚き循環通路２４の湯水温とに基づいて、追い焚き循環通路２４の湯水循環流量を検出するようにしたため、例えば追い焚き循環通路２４にボール式水量センサ等を直接設ける場合と異なり、浴槽湯水に含まれる髪等のゴミに左右されることなく、追い焚き循環通路２４の湯水循環流量を正確に検出することが可能となる。そして、このことにより、追い焚き循環通路２４に湯水がない、又は湯水の流れがないことも正確に検出することができる。
【００７１】
そのため、本実施形態例によれば、上記第１実施形態例と同様の効果を奏することができるし、さらに、追い焚き循環通路２４の湯水循環流量を正確に検出し、例えばこの流量に基づき、追い焚き熱交換器４側と給湯熱交換器３側の吸熱比率を求め、追い焚きと給湯の同時燃焼時の燃焼制御も正確に行うことができる。
【００７２】
なお、本発明は上記実施形態例に限定されることはなく、様々な実施の態様を採り得る。例えば、上記第１実施形態例では、水流有無判断用データ（非給湯側流れ有無判断用データ）は、バーナー燃焼停止以降の給湯熱交換器３の湯温のピーク温度によって与えたが、水流有無判断用データは、試験用バーナー・ポンプ制御部４３によるバーナー燃焼停止以降の給湯熱交換器３の湯温立ち下がり勾配によって与えることもできる。この場合、追い焚き循環通路水流判断部４５は、この湯温立ち下がり勾配を基準勾配とし、この基準勾配と上記バーナー燃焼停止以降の給湯熱交湯温センサ３３の検出温度データの湯温立ち下がり勾配とを比較し、検出温度データの湯温立ち下がり勾配が基準勾配よりも小さいときには追い焚き循環通路２４の湯水の流れがないと判断し、上記検出温度データの湯温立ち下がり勾配が上記基準勾配以上のときには追い焚き循環通路２４の湯水の流れがあると判断する。
【００７３】
また、上記水流有無判断用データは、試験用バーナー・ポンプ制御部４３が循環ポンプ２０を駆動させてから予め定められた基準時間が経過したときの給湯熱交換器３の湯温によって与えこともできる。この場合、例えば図８に示すように、上記第１実施形態例と同様の動作を図３のステップ１０１からステップ１０５まで行った後、図８に示すように、ステップ２０１で、追い焚き循環通路水流判断部４５は、上記基準時間が経過したか否かの判断を、追い焚き循環通路水流判断部４５に設けられているタイマ等を用いて行う。
【００７４】
次に、水流有無判断用データとして与えられた給湯熱交換器３の湯温を判断基準湯温とし、同図のステップ２０２で、この判断基準湯温と、上記循環ポンプ２０を駆動させてから上記基準時間経過時の給湯熱交湯温センサ３３の検出温度とを比較して、検出温度が判断基準湯温よりも高いときには、図８のステップ１０９で、追い焚き循環通路２４の湯水の流れなしと判断して、ステップ１１０で、水流なし信号を出力し、上記検出温度が上記判断基準以下のときには、ステップ１０７で、追い焚き循環通路２４の湯水の流れありと判断し、ステップ１０８で、水流あり信号を出力することになる。
【００７５】
さらに、上記水流有無判断用データは、試験用バーナ・ポンプ制御部４３が循環ポンプ２０を駆動させてから給湯熱交換器３の湯温が予め定められた基準温度に下がるまでの時間によって与えることもできる。この場合は、例えば図９に示すように、図３のステップ１０１からステップ１０５までの動作を上記第１実施形態例と同様に行った後、図９のステップ３０１で、循環通路水流判断部４５は、給湯熱交湯温センサ３３の検出温度が上記基準温度以下になったか否かを判断する。
【００７６】
そして、給湯熱交湯温センサ３３の検出温度が基準温度以下となったときには、ステップ３０２で、ステップ１０５からの経過時間、すなわち、循環ポンプ２０を駆動させてから給湯熱交湯温センサ３３の検出温度が基準温度に下がるまでの検出時間が、上記判断基準時間以下か否かを判断し、上記経過時間が上記判断基準時間以内のときには、ステップ１０７で、追い焚き循環通路２４の湯水の流れありと判断し、ステップ１０８で、水流あり信号を出力する。一方、上記経過時間が上記判断基準時間よりも長いときには、ステップ１０９で、追い焚き循環通路２４の湯水の流れなしと判断し、ステップ１１０で、水流なし信号を出力することになる。
【００７７】
さらに、水流有無判断用データは、以上のような温度や時間、湯温立ち下がり勾配等によって与えられるとは限らず、例えば図２に示したような、給湯熱交換器湯温の変化形態に基づいて追い焚き循環通路２４の水流有無の判断を行うための適宜のデータが与えられるものである。
【００７８】
さらに、上記第２実施形態例では、データ格納部４４に与える関係データの給湯熱交換器湯温情報は、バーナー燃焼停止以降の給湯熱交換器３の湯温のピーク温度によって与えたが、関係データの給湯熱交換器湯温情報は、試験用バーナー・ポンプ制御部４３によるバーナー燃焼停止以降の給湯熱交換器３の湯温立ち下がり勾配によって与えてもよい。この場合、湯水循環流量検出手段４６は、この湯温立ち下がり勾配と、バーナー燃焼停止以降の給湯熱交湯温センサ３３の検出温度データの湯温立ち下がり勾配と、追い焚き循環通路２４の湯水温とに基づいて追い焚き循環通路２４の湯水循環流量を検出することになる。
【００７９】
さらに、上記関係データの給湯熱交換器湯温情報は、試験用バーナー・ポンプ制御部４３が循環ポンプ２０を駆動させてから予め定められた基準時間が経過したときの給湯熱交換器３の湯温によって与えてもよい。この場合は、湯水循環流量検出手段４６は、この給湯熱交換器の湯温と、上記循環ポンプ２０を駆動させてから上記基準時間経過時の給湯熱交湯温センサ３３の検出温度と、追い焚き循環通路２４の湯水温とに基づいて追い焚き循環通路２４の湯水循環流量を検出することになる。
【００８０】
さらに、上記関係データの給湯熱交換器湯温情報は、試験用バーナー・ポンプ制御部４３が循環ポンプ２０を駆動させてから給湯熱交換器３の湯温が予め定められた基準温度に下がるまでの時間によって与えてもよい。この場合、湯水循環流量検出手段４６は、この時間と、上記循環ポンプ２０を駆動させてから給湯熱交湯温センサ３３の検出温度が上記基準温度に下がるまでの検出時間と、追い焚き循環通路２４の湯水温とに基づいて、追い焚き循環通路２４の湯水循環流量を検出することになる。
【００８１】
さらに、上記関係データの給湯熱交換器湯温情報は、上記温度や時間、湯温立ち下がり勾配以外の情報としてもよく、例えば図５に示したような給湯熱交換器３の湯温変化形態から得られる適宜の情報を設定することができる。
【００８２】
さらに、上記実施形態例では、試験用バーナー・ポンプ制御部４３は、追い焚き循環通路２４の水流有無判断の検出モード、あるいは、追い焚き循環通路２４の湯水循環流量の検出モードの動作時に、バーナー２を試験的に燃焼させてから、給湯熱交湯温センサ３３の検出温度が予め定められた温度に達したときにバーナー燃焼を停止させたが、試験用バーナー・ポンプ制御部４３は、バーナー２を試験的に燃焼開始させてから予め定められた時間が経過したときにバーナー燃焼を停止させるようにしてもよい。
【００８３】
さらに、上記実施形態例では、試験用バーナー・ポンプ制御部４３は、バーナー２の燃焼停止と同時に、循環ポンプ２０を駆動させるようにしたが、試験用バーナー・ポンプ制御部４３は、バーナー燃焼の停止以降に予め定められた時間が経過したときに、循環ポンプ２０を駆動させるようにしてもよい。
【００８４】
さらに、上記実施形態例では、追い焚き循環通路水流判断部４５と湯水循環流量検出手段４６の一方を設けて給湯器を構成したが、これら両方を設けて給湯器を構成してもよい。
【００８５】
さらに、上記実施形態例では、給湯熱交湯温センサ３３は給湯熱交換器３のＵ字管に設けられていたが、図１０の鎖線に示すように、給湯熱交換器３の出側に設けるようにしてもよい。
【００８６】
さらに、上記実施形態例では、給湯熱交換器３の湯温を給湯熱交湯温センサ３３から直接的に検出していたが、上記給湯熱交換器３の湯温は排気温度に基づき間接的に検出することが可能であることから、排気温度と給湯熱交換器３の湯温との関係データを予め実験や演算等により求めて与えておき、その関係データと排気温度によって給湯熱交換器３の湯温を間接的に検出する給湯熱交換器湯温検出手段を設けるようにしてもよい。より望ましくは、上記関係データと排気温度に基づき検出した給湯熱交換器湯温を、風呂温度センサ３７により検出される追い焚き循環通路の湯温や、予め定まる追い焚き循環湯量や、給湯温度を考慮して補正することによって、より正確な給湯熱交換器３の湯温を検出することが可能である。
【００８７】
さらに、上記各実施形態例は図１０に示す一缶二水路風呂給湯器を例にして説明したが、一缶二水路タイプで、給湯熱交換器の湯温を検出する給湯熱交換器湯温検出手段が設けられ、給湯機能と追い焚き機能を備えている一缶二水路風呂給湯器であれば、この発明を適用することができる。
【００８８】
さらに、本発明は、上記実施形態例のような一缶二水路風呂給湯器にのみ適用されるとは限らず、例えば図１１に示したような給湯暖房機等のように、給湯熱交換器３と、循環ポンプ２０を備えた非給湯側循環通路に組み込まれ非給湯側循環通路を循環する熱媒体を加熱する非給湯側熱交換器等を有し、給湯熱交換器と非給湯側熱交換器が一体化され、給湯熱交換器と非給湯側熱交換器を共通に加熱するバーナーが設けられており、給湯運転機能と非給湯側熱交換器を有する様々な一缶二水路給湯器に広く適用されるものである。
【００８９】
【発明の効果】
本第１の発明によれば、非給湯側循環通路の流れ有無判断の検出モードの動作時に、バーナーを試験的に燃焼させて燃焼停止以降に循環ポンプを駆動させ、循環ポンプの駆動以降に検出される給湯熱交換器湯温検出手段の検出温度データと、予め与えられる給湯熱交換器湯温の変化形態に基づく非給湯側流れ有無判断用データとに基づいて、非給湯側循環通路の熱媒体の流れの有無を判断するようにしたものであるから、追い焚き循環通路等の非給湯側循環通路に流水スイッチ等の流れ検知手段を設けて非給湯側循環通路の熱媒体の有無を検出する場合と異なり、非給湯側循環通路の熱媒体中のゴミ等に左右されることなく、非給湯側循環通路の熱媒体の流れの有無を正確に検出することができる。
【００９０】
また、本第２の発明によれば、上記第１の発明と同様にして得られる給湯熱交換器湯温検出手段の検出データと、予め与えられる給湯熱交換器湯温情報と非給湯側循環通路の熱媒体の循環流量との非給湯側循環通路の熱媒体の温度に対応した関係データとに基づいて、非給湯側循環通路の熱媒体の循環流量を検出するようにしたものであるから、上記第１実施形態例と同様に、非給湯側循環通路に流量センサ等を設けて非給湯側循環通路の熱媒体の循環流量を検出する場合と異なり、浴槽湯水等の非給湯側循環通路の熱媒体中のゴミ等に左右されることなく、非給湯側循環通路の熱媒体の循環流量を正確に検出することが可能となり、したがって、非給湯側循環通路の熱媒体の流れ有無も正確に検出することができる。
【００９１】
以上のように、本発明によれば、非給湯側循環通路の熱媒体の流れの有無を正確に検出できるために、一缶二水路給湯器において、従来、非給湯側循環通路に設けられていた流水スイッチ等の熱媒体の流れの検出手段を省略することも可能となり、その分だけ給湯器のシステム構成を簡略化することが可能となり、コストダウンを図ることができる。
【００９２】
そして、本第２の発明によれば、上記のように、非給湯側循環通路を循環する熱媒体の流量を正確に検出することができるために、例えば検出した流量に基づいて、非給湯側熱交換器側と給湯熱交換器側の吸熱比率を正確に求めることが可能となり、求めた吸熱比率に基づいて、非給湯側燃焼と給湯燃焼の同時燃焼時における燃焼制御を的確に行えるようにすることができる。
【００９３】
さらに、上記流れ有無判断用データや、関係データの給湯熱交換器湯温情報を、試験用バーナー・ポンプ制御部によるバーナー燃焼停止以降の給湯熱交換器の湯温立ち下がり勾配によって与えたり、試験用バーナー・ポンプ制御部が循環ポンプを駆動させてから予め定められた基準時間が経過したときの給湯熱交換器の湯温によって与えたり、試験用バーナー・ポンプ制御部が循環ポンプを駆動させてから給湯熱交換器の湯温が予め定められた基準温度に下がるまでの時間によって与えたり、バーナー燃焼停止以降の給湯熱交換器の湯温のピーク温度によって与えたりすることにより、上記非給湯側循環通路の熱媒体の流れ有無判断や循環流量検出を、容易に、かつ、正確に行うことができる。
【００９４】
さらに、非給湯側循環通路は追い焚き循環通路とし、非給湯側熱交換器は追い焚き熱交換器とし、上記追い焚き循環通路を循環する熱媒体は湯水とし、給湯側の運転は風呂の追い焚き運転とした本発明によれば、以上のような優れた効果を奏する一缶二水路風呂給湯器を提供することができる。
【図面の簡単な説明】
【図１】本発明に係る一缶二水路給湯器の第１実施形態例の制御構成を示すブロック図である。
【図２】一缶二水路風呂給湯器において、バーナーを試験的に燃焼させて燃焼停止と同時に循環ポンプを駆動させたときの給湯熱交換器湯温変化形態を、追い焚き循環通路の湯水の流れがある場合とない場合と比較して示すグラフである。
【図３】上記第１実施形態例の追い焚き循環通路の水流有無判断の検出モード動作を示すフローチャートである。
【図４】本発明に係る一缶二水路給湯器の第２実施形態例の制御構成を示すブロック図である。
【図５】一缶二水路給湯器において、バーナーを試験的に燃焼させて燃焼停止と同時に循環ポンプを駆動させたときの給湯熱交換器の湯温変化形態を、追い焚き循環通路の湯水循環流量の大小によって比較して示すグラフである。
【図６】上記第２実施形態例に与えられる給湯熱交換器湯温情報と追い焚き循環通路の湯水循環流量との関係データの一例を示すグラフである。
【図７】上記第２実施形態例の追い焚き循環通路の湯水循環流量検出モード動作を示すフローチャートである。
【図８】本発明に係る一缶二水路給湯器の他の実施形態例における追い焚き循環通路の水流有無判断の検出モード動作を示すフローチャートである。
【図９】本発明に係る一缶二水路給湯器のさらに他の実施形態例における追い焚き循環通路の水流有無判断の検出モード動作を示すフローチャートである。
【図１０】一缶二水路風呂給湯器のモデル例を示すシステム構成図である。
【図１１】一缶二水路給湯器の一例としての暖房給湯機のシステム構成例を示す要部説明図である。
【符号の説明】
３  給湯熱交換器
２０  循環ポンプ
２４  追い焚き循環通路
３３  給湯熱交湯温センサ
３７  風呂温度センサ
４３  試験用バーナー・ポンプ制御部
４４  データ格納部
４５  追い焚き循環通路水流判断部
４６  湯水循環流量検出手段
【図１】
0003798134.tif 000002
【図２】
0003798134.tif 000003
【図３】
0003798134.tif 000004
【図４】
0003798134.tif 000005
【図５】
0003798134.tif 000006
【図６】
0003798134.tif 000007
【図７】
0003798134.tif 000008
【図８】
0003798134.tif 000009
【図９】
0003798134.tif 000010
【図１０】
0003798134.tif 000011
【図１１】
0003798134.tif 000012